(57)【要約】  （ｉ）少なくとも１つの毛髪表面の画像データを収集する工程、（ｉｉ）少なくとも１つの毛髪表面に少なくとも１つの攻撃を加える工程、（ｉｉｉ）工程（ｉｉ）から生じる少なくとも１つの毛髪表面の画像データを収集する工程、（ｉｖ）工程（ｉ）及び（ｉｉｉ）で収集された画像データを３Ｄプリンタから拡大された画像を作成するためのフォーマットに変換する工程、（ｖ）工程（ｉｖ）からのデータを使用して、３Ｄプリンタから少なくとも１つの毛髪表面の拡大された３Ｄモデルを生成する工程、（ｖｉ）工程（ｉｉｉ）から生じる３Ｄモデルを、工程（ｉ）の３Ｄモデルと比較する工程、並びに（ｖｉｉ）毛髪への損傷の程度を評価する工程を含む、毛髪への攻撃の効果を分析する方法である。（ｉ）少なくとも１つの毛髪表面の画像データを収集する工程、（ｉｉ）工程（ｉ）からの画像データを３Ｄプリンタから拡大された画像を作成するためのフォーマットに変換する工程、（ｉｉｉ）工程（ｉｉ）からのデータを使用して、３Ｄプリンタから少なくとも１つの毛髪表面の１つ又は複数の拡大された３Ｄモデルを生成する工程、（ｉｖ）１つ又は複数の３Ｄモデルから明らかな毛髪表面の特性を分析する工程、（ｖ）毛髪への損傷の程度を評価する工程、（ｖｉ）工程（ｉｖ）及び／又は（ｖ）の知見を考慮して、好適な有益な処理又はレジームを毛髪に適用する工程、（ｖｉｉ）工程（ｖｉ）から生じる少なくとも１つの毛髪表面の画像データを収集し、画像データを使用して処理された毛髪表面の拡大された３Ｄモデルを生成する工程、（ｖｉｉｉ）工程（ｖｉｉ）から生じる３Ｄモデルを、工程（ｉｉｉ）から生じる３Ｄモデルと比較する工程、並びに（ｉｘ）毛髪への有益な効果を評価する工程を含む、毛髪への有益な処理又はレジームの効果を決定する方法である。【選択図】図１
2019516067.tif 000002
【特許請求の範囲】
【請求項１】
毛髪への攻撃の効果を分析する方法であって、
（ｉ）少なくとも１つの毛髪表面の画像データを収集する工程、
（ｉｉ）前記少なくとも１つの毛髪表面に少なくとも１つの攻撃を加える工程、
（ｉｉｉ）工程（ｉｉ）から生じる前記少なくとも１つの毛髪表面の画像データを収集する工程、
（ｉｖ）工程（ｉ）及び（ｉｉｉ）で収集された前記画像データを３Ｄプリンタから拡大された画像を作成するためのフォーマットに変換する工程、
（ｖ）工程ｉｖからの前記データを使用して、３Ｄプリンタから前記少なくとも１つの毛髪表面の拡大された３Ｄモデルを生成する工程、
（ｖｉ）工程（ｉｉｉ）から生じる前記３Ｄモデルを工程（ｉ）の前記３Ｄモデルと比較する工程、並びに
（ｖｉｉ）前記毛髪に対する損傷の程度を評価する工程
を含む、方法。
【請求項２】
工程（ｉｉ）〜（ｖｉｉ）を繰り返す工程をさらに含む、請求項１に記載の方法。
【請求項３】
毛髪への有益な処理又はレジームの効果を決定する方法であって、
（ｉ）少なくとも１つの毛髪表面の画像データを収集する工程、
（ｉｉ）工程（ｉ）からの前記画像データを３Ｄプリンタから拡大された画像を作成するためのフォーマットに変換する工程、
（ｉｉｉ）工程（ｉｉ）からの前記データを使用して、３Ｄプリンタから前記少なくとも１つの毛髪表面の１つ又は複数の拡大された３Ｄモデルを生成する工程、
（ｉｖ）前記１つ又は複数の３Ｄモデルから明らかな前記毛髪表面の特性を分析する工程、
（ｖ）前記毛髪への損傷の程度を評価する工程、
（ｖｉ）工程（ｉｖ）及び／又は（ｖ）の知見を考慮して、好適な有益な処理又はレジームを前記毛髪に適用する工程、
（ｖｉｉ）工程（ｖｉ）から生じる前記少なくとも１つの毛髪表面の画像データを収集し、前記画像データを使用して処理された毛髪表面の拡大された３Ｄモデルを生成する工程、
（ｖｉｉｉ）工程（ｖｉｉ）から生じる前記３Ｄモデルを、工程（ｉｉｉ）から生じる前記３Ｄモデルと比較する工程、並びに
（ｉｘ）前記毛髪への有益な効果を評価する工程
を含む、方法。
【請求項４】
工程（ｉ）後に、前記少なくとも１つの毛髪表面に少なくとも１つの攻撃を加え、その結果として生じる毛髪表面の画像データを収集する工程をさらに含む、請求項３に記載の方法。
【請求項５】
工程（ｖｉ）〜（ｉｘ）を繰り返す工程をさらに含む、請求項３又は請求項４に記載の方法。
【請求項６】
損傷の程度がスケールとの比較によって行われる、請求項３〜５のいずれか一項に記載の方法。
【請求項７】
前記有益な処理又はレジームが、前記毛髪に毛髪処理組成物を適用することを含む、請求項３〜６のいずれか一項に記載の方法。
【請求項８】
前記毛髪組成物が、リンスオフヘアコンディショナー、ヘアマスク、リーブオンコンディショナー組成物、及び前処理組成物から選択される、請求項７に記載の方法。
【請求項９】
関心のある領域を強調するために前記３Ｄモデルにカラーリンスを適用する工程をさらに含む、請求項１〜８のいずれか一項に記載の方法。
【請求項１０】
前記拡大された３Ｄが、１００〜５０，０００、好ましくは３０，０００倍の倍率を有する、請求項１〜９のいずれか一項に記載の方法。
【発明の詳細な説明】
【技術分野】
【０００１】
本発明は、環境的条件、機械的攻撃、化学的処理、及び毎日のヘアケアレジームなどの毛髪に対する攻撃の影響を分析する方法、並びに３Ｄ画像を使用して、毛髪に好適な処理を決定して適用する方法に関する。
【背景技術】
【０００２】
ＨＹＵＮＧ  ＪＩＮ  ＡＨＮら：「Ａｎ  ｕｌｔｒａｓｔｕｃｔｕｒａｌ  ｓｔｕｄｙ  ｏｆ  ｈａｉｒ  ｆｉｂｅｒ  ｄａｍａｇｅ  ａｎｄ  ｒｅｓｔｏｒａｔｉｏｎ  ｆｏｌｌｏｗｉｎｇ  ｔｒｅａｔｍｅｎｔ  ｗｉｔｈ  ｐｅｒｍａｎｅｎｔ  ｈａｉｒ  ｄｙｅ」ＩＮＴＥＲＮＡＴＩＯＮＡＬ  ＪＯＵＲＮＡＬ  ＯＦ  ＤＥＲＭＡＴＯＬＯＧＹ、ｖｏｌ．４１、ｎｏ．２、２００２年２月１日（２００２−０２−０１）、８８〜９２頁、ＸＰ０５５２７０７６０、英国；は、電子顕微鏡を使用した毛髪繊維の損傷及び回復の超微細構造研究を開示している。
【０００３】
ＶＡＬＥＲＩＡ  ＦＥＲＮＡＮＤＥＳ  ＭＯＮＴＥＩＲＯら：「Ｍｏｒｐｈｏｌｏｇｉｃａｌ  ａｎａｌｙｓｉｓ  ｏｆ  ｐｏｌｙｍｅｒｓ  ｏｎ  ｈａｉｒ  ｆｉｂｅｒｓ  ｂｙ  ＳＥＭ  ａｎｄ  ＡＦＭ」、ＭＡＴＥＲＩＡＬＳ  ＲＥＳＥＡＲＣＨ、ｖｏｌ．６、ｎｏ．４、２００３年１２月１日（２００３−１２−０１）、５０１〜５０６頁、ＸＰ０５５２７０７５８、ＢＲ；及びＪＡＣＡＬＹＮ  Ｇ  ＧＯＵＬＤら：「Ｅｌｅｃｔｒｏｎ  ｍｉｃｒｏｓｃｏｐｙ−ｉｍａｇｅ  ａｎａｌｙｓｉｓ：Ｑｕａｎｔｉｆｉｃａｔｉｏｎ  ｏｆ  ｕｌｔｒａｓｔｒｕｃｔｕｒａｌ  ｃｈａｎｇｅｓ  ｉｎ  ｈａｉｒ  ｆｉｂｅｒ  ｃｒｏｓｓ  ｓｅｃｔｉｏｎｓ  ａｓ  ａ  ｒｅｓｕｌｔ  ｏｆ  ｃｏｓｍｅｔｉｃ  ｔｒｅａｔｍｅｎｔ；Ｐｒｅｓｅｎｔｅｄ  ａｔ  ｔｈｅ  Ｓｏｃｉｅｔｙ  ｏｆ  Ｃｏｓｍｅｔｉｃ  Ｃｈｅｍｉｓｔｓ  Ａｎｎｕａｌ  Ｍｅｅｔｉｎｇ」Ｊ．ＳＯＣ．ＣＯＳＭＥＴ．ＣＨＥＭ、ｖｏｌ．３６、１９８５年１月１日（１９８５−０１−０１）、５３〜５９頁、ＸＰ０５５２７０７５９は、毛髪繊維に対する処理の効果を分析するための画像化及び顕微鏡ベースのアプローチを開示している。
【０００４】
ＧＩＥＲＡＤ  ＬＡＰＵＴら：「３Ｄ  Ｐｒｉｎｔｅｄ  Ｈａｉｒ：Ｆｕｓｅｄ  Ｄｅｐｏｓｉｔｉｏｎ  Ｍｏｄｅｌｌｉｎｇ  ｏｆ  Ｓｏｆｔ  Ｓｔｒａｎｄｓ，Ｆｉｂｅｒｓ  ａｎｄ  Ｂｒｉｓｔｌｅｓ」、ＵＳＥＲ  ＩＮＴＥＲＦＡＣＥ  ＳＯＦＴＷＡＲＥ  ＡＮＤ  ＴＥＣＨＮＯＬＯＧＹ、２０１５年１月１日（２０１５−０１−０１）、５９３〜５９７頁、ＸＰ０５５２７０７６１は、３Ｄ印刷による毛髪繊維の生成を開示している。
【０００５】
国際公開第１４０４１１８６Ａ１号には、身体の３Ｄモデリングのためのソフトウェアなどのシステム又は構成要素が記載されている。
【０００６】
消費者は、処理、プロトコル、及びヘアケアレジームなどのある特定の攻撃が、彼らの毛髪の表面及び構造に引き起こす可能性がある損傷を認識している。これらの有害な効果を緩和するための修復処理が利用可能であるが、コンセプトを消費者が把握することが困難であり、修復処理の完全な効果を完全に理解することが困難な場合がある。
【先行技術文献】
【特許文献】
【０００７】
【特許文献１】国際公開第１４０４１１８６Ａ１号
【非特許文献】
【０００８】
【非特許文献１】ＨＹＵＮＧ  ＪＩＮ  ＡＨＮら：「Ａｎ  ｕｌｔｒａｓｔｕｃｔｕｒａｌ  ｓｔｕｄｙ  ｏｆ  ｈａｉｒ  ｆｉｂｅｒ  ｄａｍａｇｅ  ａｎｄ  ｒｅｓｔｏｒａｔｉｏｎ  ｆｏｌｌｏｗｉｎｇ  ｔｒｅａｔｍｅｎｔ  ｗｉｔｈ  ｐｅｒｍａｎｅｎｔ  ｈａｉｒ  ｄｙｅ」ＩＮＴＥＲＮＡＴＩＯＮＡＬ  ＪＯＵＲＮＡＬ  ＯＦ  ＤＥＲＭＡＴＯＬＯＧＹ、ｖｏｌ．４１、ｎｏ．２、２００２年２月１日（２００２−０２−０１）、８８〜９２頁、ＸＰ０５５２７０７６０、英国；
【非特許文献２】ＶＡＬＥＲＩＡ  ＦＥＲＮＡＮＤＥＳ  ＭＯＮＴＥＩＲＯら：「Ｍｏｒｐｈｏｌｏｇｉｃａｌ  ａｎａｌｙｓｉｓ  ｏｆ  ｐｏｌｙｍｅｒｓ  ｏｎ  ｈａｉｒ  ｆｉｂｅｒｓ  ｂｙ  ＳＥＭ  ａｎｄ  ＡＦＭ」、ＭＡＴＥＲＩＡＬＳ  ＲＥＳＥＡＲＣＨ、ｖｏｌ．６、ｎｏ．４、２００３年１２月１日（２００３−１２−０１）、５０１〜５０６頁、ＸＰ０５５２７０７５８、ＢＲ；
【非特許文献３】ＪＡＣＡＬＹＮ  Ｇ  ＧＯＵＬＤら：「Ｅｌｅｃｔｒｏｎ  ｍｉｃｒｏｓｃｏｐｙ−ｉｍａｇｅ  ａｎａｌｙｓｉｓ：Ｑｕａｎｔｉｆｉｃａｔｉｏｎ  ｏｆ  ｕｌｔｒａｓｔｒｕｃｔｕｒａｌ  ｃｈａｎｇｅｓ  ｉｎ  ｈａｉｒ  ｆｉｂｅｒ  ｃｒｏｓｓ  ｓｅｃｔｉｏｎｓ  ａｓ  ａ  ｒｅｓｕｌｔ  ｏｆ  ｃｏｓｍｅｔｉｃ  ｔｒｅａｔｍｅｎｔ；Ｐｒｅｓｅｎｔｅｄ  ａｔ  ｔｈｅ  Ｓｏｃｉｅｔｙ  ｏｆ  Ｃｏｓｍｅｔｉｃ  Ｃｈｅｍｉｓｔｓ  Ａｎｎｕａｌ  Ｍｅｅｔｉｎｇ」Ｊ．ＳＯＣ．ＣＯＳＭＥＴ．ＣＨＥＭ、ｖｏｌ．３６、１９８５年１月１日（１９８５−０１−０１）、５３〜５９頁、ＸＰ０５５２７０７５９
【非特許文献４】ＧＩＥＲＡＤ  ＬＡＰＵＴら：「３Ｄ  Ｐｒｉｎｔｅｄ  Ｈａｉｒ：Ｆｕｓｅｄ  Ｄｅｐｏｓｉｔｉｏｎ  Ｍｏｄｅｌｌｉｎｇ  ｏｆ  Ｓｏｆｔ  Ｓｔｒａｎｄｓ，Ｆｉｂｅｒｓ  ａｎｄ  Ｂｒｉｓｔｌｅｓ」、ＵＳＥＲ  ＩＮＴＥＲＦＡＣＥ  ＳＯＦＴＷＡＲＥ  ＡＮＤ  ＴＥＣＨＮＯＬＯＧＹ、２０１５年１月１日（２０１５−０１−０１）、５９３〜５９７頁、ＸＰ０５５２７０７６１
【発明の概要】
【０００９】
先行技術にもかかわらず、毛髪に対する処理及び攻撃の効果を決定する新規かつ改善された方法が必要とされ続けている。
【００１０】
本発明の方法は、種々の処理及び攻撃にさらされた毛髪繊維の特性を評価するために使用することができる。
【００１１】
第１の態様では、本発明は、毛髪への攻撃の効果を分析する方法であって、
（ｉ）少なくとも１つの毛髪表面の画像データを収集する工程、
（ｉｉ）少なくとも１つの毛髪表面に少なくとも１つの攻撃を加える工程、
（ｉｉｉ）工程（ｉｉ）から生じる少なくとも１つの毛髪表面の画像データを収集する工程、
（ｉｖ）工程（ｉ）及び（ｉｉｉ）で収集された画像データを３Ｄプリンタからの拡大された画像を作成するのに好適なフォーマットに変換する工程、
（ｖ）工程ｉｖからのデータを使用して、３Ｄプリンタから少なくとも１つの毛髪表面の拡大された３Ｄモデルを生成する工程、
（ｖｉ）工程（ｉｉｉ）から生じる３Ｄモデルを工程（ｉ）の３Ｄモデルと比較する工程、並びに
（ｖｉｉ）毛髪への損傷の程度を評価する工程
を含む方法を提供する。
【００１２】
好ましくは、工程（ｉｉ）〜（ｖｉｉ）が繰り返される。攻撃に対する繰り返し又は長期の曝露による影響を評価するために、工程（ｉｉ）〜（ｖｉｉ）を複数回繰り返してもよい。例えば、２〜２０回、好ましくは２〜８回である。
【００１３】
この方法は、本発明の方法の工程（ｖ）における拡大された画像／３Ｄモデルに示される特性を、工程（ｉ）からの初期の画像／３Ｄモデルと比較することを可能にする。
【００１４】
拡大された画像に見られ得る特性は、毛髪繊維の外側のトポグラフィー側面、例えば、キューティクルリフト、キューティクル損傷（例えば、チッピング、割れ、形状の変化、及び破損）、キューティクルエロージョン、スプリットエンド、キンク、ブロブ、亀裂、穴、及び結び目である。これらは、方法の開始時の毛髪の年齢及び状態に応じて、初期の画像化段階（ｉ）に存在し得る。したがって、彼らの通常の毛髪のレジームの影響及び彼らの毛髪によって被る他の毎日の攻撃の影響を消費者に説明することが可能である。
【００１５】
画像は、好ましくはスケールと比較して、毛髪への損傷の程度を評価するために使用されてもよい。好ましくは、スケールは、インジケータ、例えば数字又は文字を含み、インジケータは、漸増レベルの損傷に対応する。別の好ましい実施形態では、損傷のスケールは、損傷の程度を段階的に示す写真又はＣＡＤ画像などのイラストを含む。インジケータとイラストの両方を一緒に使用してもよい。
【００１６】
好ましい方法は、
（ｉ）少なくとも１つの毛髪表面の画像データを収集する工程、
（ｉｉ）少なくとも１つの毛髪表面に少なくとも１つの攻撃を加える工程、
（ｉｉｉ）工程（ｉｉ）から生じる少なくとも１つの毛髪表面の画像データを収集する工程、
（ｉｖ）工程（ｉ）及び（ｉｉｉ）で収集された画像データを３Ｄプリンタからの拡大された画像を作成するのに好適なフォーマットに変換する工程、
（ｖ）工程ｉｖからのデータを使用して、３Ｄプリンタから少なくとも１つの毛髪表面の拡大された３Ｄモデルを生成する工程、
（ｖｉ）工程（ｉｉｉ）から生じる３Ｄモデルを工程（ｉ）から生じる３Ｄモデルと比較する工程、
（ｖｉｉ）毛髪への損傷の程度を評価する工程、並びに
（ｖｉｉｉ）工程（ｉｉ）〜（ｖｉｉ）を繰り返す工程
を含む。
【００１７】
本発明の方法は、個々の毛髪のニーズを明確にするために使用することができる。
【００１８】
本発明の方法は、教育ツール、プレス、メディア、又は顧客との通信、販売時、サロンなどの専門的環境、並びに商業的材料、広告材料、及び宣伝材料に使用されてもよい。
【００１９】
本発明の第２の態様では、毛髪への有益な処理又はレジームの効果を決定する方法が提供される。本方法は、毛髪に好適な有益な処理又はレジームを適用する工程であって、処理が、３Ｄ画像の分析に従って決定される工程を含む。有益な処理の実装、又は個人が使用している処理に対する有益な変化は、本発明の方法内で想定される。例えば、拡大された３Ｄ画像において明らかにされた特性に好適な処理、例えば、リフトされたキューティクルのための処理、又は（脱色された毛髪に見られるような）滲出したキューティクルのための処理、又はスプリットエンドのための処理など。処理はまた、毛髪への損傷の程度の評価に従って決定されてもよい；又は３Ｄ画像の分析と損傷の程度の評価の両方の組み合わせによって決定されてもよい。有益なレジームには、例えば、ブロー乾燥から自然乾燥への切り替え、過酸化水素含有量が現在のものよりも低い毛髪着色剤処理への切り替え、損傷を受けたキューティクルに対するさらなる損傷を減らすためのコーミングの低減、毛髪の洗浄頻度の低減などの最新のレジームへ変更することが含まれる。リペア処理の定期的な使用などの新規の有益なレジームの実装も想定される。
【００２０】
本発明の第２の態様の方法は、
（ｉ）少なくとも１つの毛髪表面の画像データを収集する工程、
（ｉｉ）工程（ｉ）及び任意の工程（ｉｉ）からの画像データを３Ｄプリンタから拡大された画像を作成するのに好適なフォーマットに変換する工程、
（ｉｉｉ）工程（ｉｉｉ）からのデータを使用して少なくとも１つの毛髪表面の（１又は複数の）拡大された３Ｄモデルを生成する工程、
（ｉｖ）（１又は複数の）３Ｄモデルから明らかな毛髪表面の特性を分析する工程、
（ｖ）毛髪への損傷の程度を評価する工程、
（ｖｉ）工程（ｖ）及び／又は（ｖｉ）の知見を考慮して、好適な有益な処理又はレジームを毛髪に適用する工程、
（ｖｉｉ）工程（ｖｉｉ）から生じる少なくとも１つの毛髪表面の画像データを収集し、画像データを使用して処理された毛髪表面の拡大された３Ｄモデルを生成する工程、
（ｖｉｉｉ）工程（ｖｉｉｉ）から生じる３Ｄモデルを、工程（ｉ）又は工程（ｉｉ）から生じる３Ｄモデルと比較する工程、並びに
（ｉｘ）毛髪への有益な効果を評価する工程
を含む。
【００２１】
このようにして、処理又はレジームを毛髪に適用することから生じる「平滑化」などの任意の表面改善を実証することが可能である。
【００２２】
工程（ｖｉ）〜（ｉｘ）を繰り返してもよい。
【００２３】
この方法では、工程（ｉ）後に少なくとも１つの攻撃が少なくとも１つの毛髪表面に加えられ、得られる毛髪表面の画像データを収集されてもよい。
【図面の簡単な説明】
【００２４】
【図１】未処理の毛髪繊維の３Ｄ印刷オブジェクトである。
【図２】脱色剤で４回処理された毛髪繊維の３Ｄ印刷オブジェクトである。
【図３】脱色剤で８回処理された３Ｄ印刷オブジェクトである。
【発明を実施するための形態】
【００２５】
攻撃
多くの攻撃は、日常生活の間に、又は通常のヘアケアレジーム若しくは消費者の習慣の一部として発生する。
【００２６】
攻撃は、好ましくは、機械的攻撃、化学的攻撃、環境的攻撃、及びそれらの組み合わせから選択される。
【００２７】
好ましい機械的攻撃は、コーミング、ブラッシングや、カーリング、矯正又はセッティングのためのホットアイロンの適用、及びブロー乾燥である。
【００２８】
好ましい化学的攻撃は、毛髪を改質する化学物質を含有する処理であり、例えば着色処理、脱色、矯正処理、リラクシング処理、及び界面活性剤の使用、例えばシャンプーの使用である。
【００２９】
好ましい環境的攻撃には、例えば、湿度、汚染、硬水、塩水、紫外線、風、及び極端な温度が含まれる。
【００３０】
画像
好ましくは、画像は、トポグラフィック表面画像であり、より好ましくは、トポグラフィック表面画像は、Ｓｅｎｓｏｆａｒ  Ｓ  ｎｅｏｘ又はレーザープロフィルメーターなどの３Ｄ光学プロファイラーを使用して生成される。
【００３１】
トポグラフィック表面は、３Ｄプリンタに好適なフォーマットに変換され、好ましくは、トポグラフィック（３Ｄ）表面を記述する各点の空間座標（Ｘ、Ｙ、Ｚ）としてデジタルファイルにエクスポートされる。好ましくは、これは、プロフィルメーターを使用して完了される。好適なプロフィルメーターの一例は、調査される表面の３Ｄ画像を生成することができるＳｅｎｓｏｆａｒ  Ｓ  ｎｅｏｘプロフィルメーターである。プロフィロメーターソフトウェア、例えば、ｓｅｎｓｏＳＣＡＮ  ｖ５は、各点のすべてのＸ、Ｙ、Ｚ座標のリストであるファイル「．ｄａｔ」をエクスポートすることができる。
【００３２】
好ましくは、拡大された３Ｄ画像は、１００〜５０，０００、好ましくは３０，０００倍の倍率を有する。
【００３３】
所望であれば、画像データの変換ｉｖ）は、拡大プロセスを含む。倍率は、好ましくは、解像度、単位、及び／又は座標軸の再スケールの変更によって達成され、新しい空間座標を有する新しいデジタルファイルを生成する。データポイントを拡大する好ましい方法は、Ｍａｔｌａｂを使用することである。この好ましい方法では、「．ｄａｔ」ファイルをＭａｔｌａｂに行列としてインポートし、一連のＭａｔｌａｂスクリプトを使用して行列を操作し、解像度／スケールを変更する。行列が、各点のすべてのＸ、Ｙ、Ｚ座標のリストとして新しいＡＳＣＩＩファイル「．ＸＹＺ」にエクスポートされることが非常に好ましい。
【００３４】
画像データは、３Ｄプリンタに好適な画像に変換される。好ましくは、ファイルは、３Ｄ−ＣＡＤソフトウェアにインポートされ、３Ｄ表面を平行四辺形の面に適用して３Ｄオブジェクトを得る。得られた３Ｄ画像は、３Ｄプリンタ装置ソフトウェアと互換性のあるデジタルファイルにエクスポートされる。ＸＹＺファイルは、好ましくは、ソフトウェア変換パッケージ、例えば、それを３ｄファイルに変換して、．ＳＴＬファイルとしてエクスポートすることができる「Ｒｈｉｎｏ」ソフトウェアパッケージにインポートされる。
【００３５】
３Ｄ画像を印刷して３Ｄオブジェクトを形成する。これは、入手可能な現代の３Ｄプリンタのいずれかを使用することで達成することができ、例は、ＥＯＳ（Ｅｌｅｃｔｒｏ  Ｏｐｔｉｃａｌ  Ｓｙｓｔｅｍｓ）ＥＯＳＩＮＴ  Ｐ３８０選択レーザー焼結プリンタ及び生成された拡大表面の３Ｄレプリカである。
【００３６】
好ましくは、カラーリンスが３Ｄモデルに適用されて、関心のある領域を強調する。色は、表面の高さに応じて変えることができる。これは、キューティクルリフトの程度及び穴の深さなどを表示するのに有用である。
【００３７】
毛髪
本発明の方法は、単一の毛髪繊維又は毛髪繊維束で実施することができる。
【００３８】
毛髪は、好ましくはヒトの毛髪である。
【００３９】
有益な処理及びレジーム
好ましい処理及びレジームは、毛髪への損傷の効果を低減又は緩和するものである。
【００４０】
毛髪のための好ましい処理（工程ｖｉ）は、リンスオフ製品及びリーブオン製品である。好ましい毛髪処理組成物は、シャンプー、リンスオフヘアコンディショナー、ヘアマスク、リーブオンコンディショナー組成物、及び前処理組成物から選択され、より好ましくはリンスオフヘアコンディショナー、ヘアマスク、リーブオンコンディショナー組成物、及び前処理組成物、例えばオイル処理から選択され、最も好ましくはリンスオフヘアコンディショナー、ヘアマスク、及びリーブオンコンディショナー組成物から選択される。
【００４１】
本発明で使用するためのリンスオフコンディショナーは、典型的には、濡れた毛髪の上に１〜２分間放置されてからすすぎ落とされるコンディショナーである。
【００４２】
本発明で使用するためのヘアマスクは、典型的には、すすぎ落とされる前に、毛髪に３〜１０分間、好ましくは３〜５分間、より好ましくは４〜５分間放置される処理である。
【００４３】
本発明で使用するためのリーブオンコンディショナーは、典型的には、毛髪に適用され、毛髪上に１０分超放置され、好ましくは、洗浄後に毛髪に適用され、次の洗浄まですすぎ落とされない。
【００４４】
本発明の方法で使用するための処理組成物は、好ましくは、コンディショニング剤を含む。コンディショニング剤は、好ましくは、カチオン性界面活性剤から選択され、単独又は混合物として使用される。
【００４５】
本発明の方法で使用するための組成物に有用なカチオン性界面活性剤は、水性組成物中に溶解したときに正に荷電されるアミノ又は第四級アンモニウム親水性部分を含有する。
【００４６】
好適なカチオン性界面活性剤の例は、式
［Ｎ（Ｒ１）（Ｒ２）（Ｒ３）（Ｒ４）］＋（Ｘ）−
（式中、Ｒ１、Ｒ２、Ｒ３、及びＲ４は、独立して（ａ）１〜２２個の炭素原子の脂肪族基；又は（ｂ）最大２２個の炭素原子を有する芳香族、アルコキシ、ポリオキシアルキレン、アルキルアミド、ヒドロキシアルキル、アリール、若しくはアルカリル基から選択され；Ｘは、ハロゲン（例えば、クロリド、ブロミド）、酢酸、クエン酸、乳酸、グリコール酸、硝酸、硫酸、及びアルキル硫酸ラジカルから選択されるものなどの塩形成アニオンである）に対応するものである。
【００４７】
脂肪族基は、炭素及び水素原子に加えて、エーテル結合、及びアミノ基などの他の基を含有することができる。より長い鎖の脂肪族基、例えば、約１２個又はそれ以上の炭素原子の脂肪族基は、飽和又は不飽和であり得る。
【００４８】
本発明の方法で使用するための組成物にとって最も好ましいカチオン性界面活性剤は、長いアルキル鎖がＣ８〜Ｃ１４であるモノアルキル第四級アンモニウム化合物である。
【００４９】
そのような材料の好適な例は、式
［Ｎ（Ｒ５）（Ｒ６）（Ｒ７）（Ｒ８）］＋（Ｘ）−
（式中、Ｒ５は、８〜１４個の炭素原子を有する炭化水素鎖又は８〜１４個の炭素原子を有し、置換基として若しくはラジカル鎖中の結合として存在するエーテル、エステル、アミド若しくはアミノ部分を含有する官能化ヒドロカルビル鎖であり、Ｒ６、Ｒ７、及びＲ８は、独立して（ａ）１〜約４個の炭素原子のヒドロカルビル鎖、又は（ｂ）１〜約４個の炭素原子を有し、置換基若しくはラジカル鎖中の結合として存在する１つ以上の芳香族、エーテル、エステル、アミド、若しくはアミノ部分を含有する官能化ヒドロカルビル鎖から選択され、Ｘは、ハロゲン（例えばクロリド、ブロミド）、酢酸、クエン酸、乳酸、グリコール酸、硝酸、硫酸、及びアルキル硫酸ラジカルから選択されるものなどの塩形成アニオンである）に対応する。
【００５０】
官能化ヒドロカルビル鎖（ｂ）は、アルコキシ（好ましくはＣ１−Ｃ３アルコキシ）、ポリオキシアルキレン、アルキルエステル、及びそれらの組み合わせから選択される１つ以上の親水性部分を好適に含有してもよい。
【００５１】
好ましくは、炭化水素鎖Ｒ１は、１２〜１４個の炭素原子、最も好ましくは１２個の炭素原子を含有する。それらは、所望のヒドロカルビル鎖長を有する相当量の脂肪酸を含有する原料油から誘導されてもよい。例えば、パーム核油又はヤシ油からの脂肪酸は、Ｃ８〜Ｃ１２ヒドロカルビル鎖の供給源として使用することができる。
【００５２】
本発明の方法において使用するための組成物で使用するための上記一般式の典型的なモノアルキル第四級アンモニウム化合物は、以下のものが挙げられる：
（ｉ）塩化ラウリルトリメチルアンモニウム（アクゾ（Ａｋｚｏ）からＡｒｑｕａｄ  Ｃ３５として市販されている）、塩化ココジメチルベンジルアンモニウム（アクゾ（Ａｋｚｏ）からＡｒｑｕａｄ  ＤＭＣＢ−８０として市販されている）、
（ｉｉ）式：
［Ｎ（Ｒ１）（Ｒ２）（（ＣＨ２ＣＨ２Ｏ）ｘＨ）（（ＣＨ２ＣＨ２Ｏ）ｙＨ］＋（Ｘ）−
の化合物
式中、
ｘ＋ｙは、２〜２０の整数であり；
Ｒ１は、８〜１４個、好ましくは１２〜１４個、最も好ましくは１２個の炭素原子を有し、置換基として、又はラジカル鎖中の結合として存在するエーテル、エステル、アミド、若しくはアミノ部分を含有するヒドロカルビル鎖であり；
Ｒ２は、Ｃ１−Ｃ３アルキル基又はベンジル基であり、好ましくはメチルであり、Ｘは、ハロゲン（例えば、クロリド、ブロミド）、酢酸、クエン酸、乳酸、グリコール酸、リン酸、硫酸、メト硫酸、及びアルキル硫酸ラジカルから選択されるものなどの塩形成アニオンである。
【００５３】
好適な例は、塩化ＰＥＧ−ｎラウリルアンモニウム（ｎはＰＥＧ鎖長である）、例えばＰＥＧ−２塩化ココモニウム（アクゾノーベル（Ａｋｚｏ  Ｎｏｂｅｌ）からＥｔｈｏｑｕａｄ  Ｃ１２として市販されている）；ＰＥＧ−２塩化ココベンジルアンモニウム（アクゾノーベル（Ａｋｚｏ  Ｎｏｂｅｌ）からＥｔｈｏｑｕａｄ  ＣＢ１２として市販されている）；ＰＥＧ−５ココモニウムメトサルフェート（レウォ（Ｒｅｗｏ）からＲｅｗｏｑｕａｔ  ＣＰＥＭして市販されている）；ＰＥＧ−１５塩化ココモニウム（アクゾ（Ａｋｚｏ）からＥｔｈｏｑｕａｄ  Ｃ／２５として市販されている）である。
【００５４】
（ｉｉｉ）式：
［Ｎ（Ｒ１）（Ｒ２）（Ｒ３）（（ＣＨ２）ｎ  ＯＨ）］＋（Ｘ）−
の化合物
式中、
ｎは、１〜４の整数、好ましくは２であり；
Ｒ１は、８〜１４個、好ましくは１２〜１４個、最も好ましくは１２個の炭素原子を有するヒドロカルビル鎖であり；
Ｒ２及びＲ３は、Ｃ１−Ｃ３アルキル基から独立して選択され、好ましくはメチルであり、
Ｘ−は、ハロゲン（例えばクロリド、ブロミド）、酢酸、クエン酸、乳酸、グリコール酸、硝酸、硫酸、アルキル硫酸ラジカルから選択されるものなどの塩形成アニオンである。
【００５５】
好適な例は、塩化ラウリルジメチルヒドロキシエチルアンモニウム（クラリアント（Ｃｌａｒｉａｎｔ）からＰｒａｐａｇｅｎ  ＨＹとして市販されている）である。
【００５６】
前述のカチオン性界面活性剤化合物のいずれかの混合物も好適であり得る。
【００５７】
本発明の方法に使用するための毛髪組成物に使用するのに好適なカチオン性界面活性剤の例としては、塩化セチルトリメチルアンモニウム、塩化ベヘニルトリメチルアンモニウム、塩化セチルピリジニウム、塩化テトラメチルアンモニウム、塩化テトラエチルアンモニウム、塩化オクチルトリメチルアンモニウム、塩化ドデシルトリメチルアンモニウム、塩化ヘキサデシルトリメチルアンモニウム、塩化オクチルジメチルベンジルアンモニウム、塩化デシルジメチルベンジルアンモニウム、塩化ステアリルジメチルベンジルアンモニウム、塩化ジドデシルジメチルアンモニウム、塩化ジオクタデシルジメチルアンモニウム、塩化タロートリメチルアンモニウム、塩化ココトリメチルアンモニウム、及びそれらの対応する水酸化物が挙げられる。さらに好適なカチオン性界面活性剤には、ＣＴＦＡ表記のクオタニウム−５、クオタニウム−３１、及びクオタニウム−１８を有するそれらの材料が含まれる。前述の材料のいずれかの混合物も好適であり得る。特に有用なカチオン性界面活性剤は、塩化セチルトリメチルアンモニウムであり、例えば、ヘンケル（Ｈｅｎｋｅｌ）のＤＥＨＹＱＵＡＲＴとして市販されている。
【００５８】
カチオン性界面活性剤のレベルは、全組成物の好ましくは０．０１〜１０重量％、より好ましくは０．０５〜５重量％、最も好ましくは０．１〜２重量％である。
【００５９】
好ましいコンディショナーは、コンディショニングゲル相を含む。そのようなコンディショナー及びそれらを作製するための方法は、国際公開第２０１４／０１６３５４号、同２０１４／０１６３５３号、同２０１２／０１６３５２号、及び同２０１４／０１６３５１号に記載されている。
【００６０】
コンディショニング組成物はまた、他の任意の成分を含んでもよい。そのような成分としては、脂肪質、沈着ポリマー、及びさらなるコンディショニング剤が挙げられるが、これらに限定されない。
【００６１】
コンディショナー組成物は、好ましくは、脂肪質をさらに含む。コンディショニング組成物中の脂肪質とカチオン性界面活性剤との併用は、カチオン性界面活性剤が分散された構造化ラメラ又は液晶相の形成をもたらすので、特に有利であると考えられる。
【００６２】
「脂肪物質」とは、脂肪族アルコール、アルコキシル化脂肪族アルコール、脂肪酸、又はそれらの混合物を意味する。
【００６３】
好ましくは、脂肪物質のアルキル鎖は、完全に飽和される。
【００６４】
代表的な脂肪物質は、８〜２２個の炭素原子、より好ましくは１６〜２２個の炭素原子を含む。好適な脂肪族アルコールの例としては、セチルアルコール、ステアリルアルコール、及びそれらの混合物が挙げられる。これらの材料の使用は、それらが組成物の全体的なコンディショニング特性に寄与するという点でも有利である。
【００６５】
アルキル鎖中に約１２〜約１８個の炭素原子を有するアルコキシル化（例えば、エトキシル化又はプロポキシル化）脂肪族アルコールは、脂肪族アルコール自体の代わりに、又はそれに加えて使用することができる。好適な例としては、エチレングリコールセチルエーテル、ポリオキシエチレン（２）ステアリルエーテル、ポリオキシエチレン（４）セチルエーテル、及びそれらの混合物が挙げられる。
【００６６】
コンディショナー中の脂肪物質のレベルは、組成物全体の０．０１〜１５重量％、好ましくは０．１〜１０重量％、より好ましくは０．１〜５重量％であるのが好適である。カチオン性界面活性剤と脂肪族アルコールとの重量比は、１０：１〜１：１０、好ましくは４：１〜１：８、最適には１：１〜１：７、例えば１：３であるのが好適である。
【００６７】
さらなるコンディショニング成分には、脂肪族アルコールと脂肪酸とのエステル、例えばパルミチン酸セチルが含まれる。
【００６８】
本発明で使用するためのコンディショニング組成物は、好ましくは、ミセル構造化液体を含んでもよい。
【００６９】
本組成物を含むコンディショナーのｐＨは、好ましくは３〜５である。より好ましくは、組成物のｐＨは、４．５〜５．５である。
【００７０】
組成物が３．１０未満のｐＨを有する場合、それは、強烈な処理のためのコンディショニングマスクの形態であることが好ましい。
【００７１】
さらなるコンディショニング成分には、好ましくはヤシ油及びオリーブ油から選択されるコンディショニング油が含まれる。
【００７２】
ここで、本発明を以下の非限定的な実施例によって例示する。
【００７３】
実施例
標本毛髪繊維をヒトの頭部からサンプリングし、未処理の標本を以下の方法に従って画像化した。次いで、その繊維を脱色剤で処理し、前述のように画像化した。
【００７４】
脱色剤で処理する方法は以下の通りであった：
市販の家庭用脱色剤製品、ロレアルプラチン精密パウダーブリーチ及びエクセルクリームペルオキシド（９％Ｖｏｌ）を使用した。
【００７５】
毛髪は濃い茶色のヨーロッパ人の毛髪で、７ｇ／１０インチのフラット・メタル・スイッチであった。
【００７６】
脱色剤粉末（６０ｇ）及び過クリームペルオキシド（１２０ｇ）を着色ボウルに入れ、滑らかでクリーミーな稠度に混合した。
【００７７】
アルミニウム箔のシート上に毛髪のスイッチを（扇状に）広げた。
【００７８】
新たに調製した脱色剤混合物を着色ブラシで毛髪に塗布し、それぞれの側にむらのない被覆を確保した。
【００７９】
次いで、スイッチをアルミニウム箔に包み、周囲温度で３０分間放置して進展させた。次いで、スイッチを箔から取り出し、スイッチを指で動かして脱色剤を完全に除去するために、タップの下で２分間すすいだ。
【００８０】
繰り返し行う脱色攻撃の効果を示すために、スイッチを４又は８回脱色処理した。
【００８１】
イメージング法
毛髪繊維のトポグラフィック表面は、Ｓｅｎｓｏｆａｒ  Ｓネオックスプロフィルメーターを有するセンソＳＣＡＮ  ｖ５を使用してトポグラフィック（３Ｄ）表面を記述する各点の空間座標（Ｘ、Ｙ、Ｚ）としてデジタルファイルにエクスポートすることにより、３Ｄプリンタに好適なフォーマットに変換した。
【００８２】
マトリックスとしてＭａｔｌａｂにインポートし、Ｍａｔｌａｂスクリプトを使用してマトリックスを操作し、解像度／スケールを変更することで、得られたデジタルファイルデータを拡大した。次いで、マトリックスを各点のすべてのＸ、Ｙ、Ｚ座標のリストとして新しいＡＳＣＩＩファイル「．ＸＹＺ」にエクスポートした。倍率は、３０，０００倍であった。
【００８３】
画像データを３Ｄ−ＣＡＤソフトウェアを使用して３Ｄプリンタに好適な画像に変換し、３Ｄ表面を平行四辺形の面に適用して３Ｄオブジェクトを得た。得られた３Ｄ画像は、「Ｒｈｉｎｏ」ソフトウェアパッケージを使用して３Ｄプリンタ装置ソフトウェアと互換性のあるデジタルファイルにエクスポートして、それを３Ｄファイルに変換し、それを．ＳＴＬファイルとしてエクスポートした。
【００８４】
次いで、３Ｄ画像を印刷して３Ｄオブジェクトを形成した。これは、ＥＯＳ（Ｅｌｅｃｔｒｏ  Ｏｐｔｉｃａｌ  Ｓｙｓｔｅｍｓ）ＥＯＳＩＮＴ  Ｐ３８０選択的レーザー焼結プリンタ及び拡大表面の３Ｄ複製を使用することによって達成された。
【００８５】
得られた３Ｄ画像を比較し分析することにより、毛髪に対する脱色攻撃の効果を実証した。
【００８６】
結果を図１、２、及び３に示す。
【００８７】
図１は、未処理の毛髪繊維の３Ｄ印刷オブジェクトである。
【００８８】
図２は、脱色剤で４回処理された毛髪繊維の３Ｄ印刷オブジェクトである。
【００８９】
図３は、脱色剤で８回処理された３Ｄ印刷オブジェクトである。
【００９０】
毛髪繊維の表面特徴の正及び負の深さが分かり、視覚的及び触覚的の両方で、詳細にすべての態様を厳密に調べ得るようにオブジェクトを取り扱うことが可能である。脱色攻撃の効果は、キューティクルエロージョン及び毛髪表面の外側構造の損傷の局面が明らかである場合には明確である。
【図１】
2019516067.tif 000003
【図２】
2019516067.tif 000004
【図３】
2019516067.tif 000005
【国際調査報告】
2019516067.tif 000006
2019516067.tif 000007
2019516067.tif 000008